(57)【要約】【課題】無線中継器に適用される干渉除去装置及び方法を提供する。【解決手段】本発明によれば、受信されるアナログ信号をデジタル信号に変換した後、受信信号帯域をＮ個の帯域に分割してサンプリング周波数を下げて帯域別にシェアリングした後、干渉を除去してさらにアナログ信号に変換して出力することにより、生産コストを削減することや、同じハードウェア容量をもって干渉除去範囲（Ｔ、時間区間）を広げることが可能になる。【選択図】図２
2009188457.tif 000002
【特許請求の範囲】
【請求項１】
受信アンテナ側から送られてくるアナログ信号をデジタル信号に変換して出力するＡ／Ｄ変換部と、
前記Ａ／Ｄ変換部から送られてくる受信信号帯域をＮ（Ｎ&#8805;２）個の帯域に分割する帯域分割部と、
前記帯域分割部により帯域別に分割された各帯域の信号を１／Ｍ（Ｍ＞１）ダウンサンプリングした後に出力するダウンサンプリング部と、
前記ダウンサンプリング部から出力されるＮ個の受信信号に対してタイムシェアリング動作を行う第１のタイムシェアリング部と、
前記第１のタイムシェアリング部を経由して送られてくるＮ個の受信信号から干渉信号を除去した後、干渉信号の除去された信号を出力する干渉除去部と、
前記干渉除去部から出力されるＮ個の出力信号に対して前記第１のタイムシェアリング部と同期してタイムシェアリング動作を行う第２のタイムシェアリング部と、
前記第２のタイムシェアリング部を経由して送られてくるＮ個の出力信号に対してＭアップサンプリングを行った後に出力するアップサンプリング部と、
前記アップサンプリング部から送られてくるＮ個の出力信号をアナログ信号に変換して送信アンテナ側に出力するＤ／Ａ変換部と、
を備えることを特徴とする移動通信用の無線中継器における干渉除去装置。
【請求項２】
前記アップサンプリング部を通過しながらアップサンプリングされたＮ個の出力信号をＮ個の帯域別にそれぞれフィルタリングするフィルタリング部をさらに備えることを特徴とする請求項１に記載の移動通信用の無線中継器における干渉除去装置。
【請求項３】
前記フィルタリング部は、
異なる帯域を通過させるＮ個の帯域通過フィルターを備えることを特徴とする請求項２に記載の移動通信用の無線中継器における干渉除去装置。
【請求項４】
前記帯域分割部は、
異なる帯域を通過させるＮ個の帯域通過フィルターを備え、
前記ダウンサンプリング部は、
前記Ｎ個の帯域通過フィルターと対応するように設けられるＮ個のダウンサンプリング素子を備えることを特徴とする請求項１に記載の移動通信用の無線中継器における干渉除去装置。
【請求項５】
前記干渉除去部は、
前記第１のタイムシェアリング部を介して入力される分割帯域別の受信信号から干渉除去信号を差し引いて干渉除去後信号を出力する減算手段と、
前記減算手段から出力される干渉除去後信号及び送信アンテナ側に出力される出力信号をリアルタイムにて検出し、干渉除去後信号と出力信号との間の相関関係を用いて重み付けファクターＷをリアルタイムにて演算する重み付けファクター演算手段と、
前記重み付けファクター演算手段において演算された重み付けファクターを適用して干渉除去信号をリアルタイムにて生成した後に前記減算手段に与える適応性フィルターと、
を備えることを特徴とする請求項１に記載の移動通信用の無線中継器における干渉除去装置。
【請求項６】
Ｍ＝Ｎであることを特徴とする請求項１に記載の移動通信用の無線中継器における干渉除去装置。
【請求項７】
受信アンテナ側から送られてくるアナログ信号をデジタル信号に変換して出力するＡ／Ｄ変換ステップと、
前記Ａ／Ｄ変換ステップにおいてＡ／Ｄ変換されて送られてくる受信信号帯域をＮ（Ｎ&#8805;２）個の帯域に分割する帯域分割ステップと、
前記帯域分割ステップにおいて分割されて送られてくる帯域別の受信信号を１／Ｍ（Ｍ＞１）ダウンサンプリングした後に出力するダウンサンプリングステップと、
前記ダウンサンプリングステップにおいてダウンサンプリングされたＮ個の受信信号に対してタイムシェアリング動作を行う第１のタイムシェアリングステップと、
第１のタイムシェアリングステップにおいてタイムシェアリングされて送られてくるＮ個の受信信号から干渉信号を除去した後、干渉信号の除去された信号を出力する干渉除去ステップと、
前記干渉除去ステップにおいて干渉除去されて送られてくるＮ個の出力信号に対して前記第１のタイムシェアリングステップと同期してタイムシェアリング動作を行う第２のタイムシェアリングステップと、
前記第２のタイムシェアリングステップにおいてタイムシェアリングされて送られてくるＮ個の出力信号に対してＭアップサンプリングを行うアップサンプリングステップと、
前記アップサンプリングステップにおいてアップサンプリングされて送られてくるＮ個の出力信号をアナログ信号に変換して送信アンテナ側に出力するＤ／Ａ変換ステップと、
を含むことを特徴とする移動通信用の無線中継器における干渉除去方法。
【請求項８】
前記アップサンプリングステップとＤ／Ａ変換ステップとの間に、アップサンプリングされたＮ個の出力信号をＮ個の帯域別にそれぞれフィルタリングするフィルタリングステップをさらに含むことを特徴とする請求項７に記載の移動通信用の無線中継器における干渉除去方法。
【請求項９】
前記干渉除去ステップは、
干渉除去後信号及び送信アンテナ側に出力される出力信号をリアルタイムにて検出し、干渉除去後信号と出力信号との間の相関関係を用いて重み付けファクターＷを演算する重み付けファクター演算ステップと、
演算された重み付けファクターを適用して干渉除去信号をリアルタイムにて生成するステップと、
第１のタイムシェアリングステップにおいてタイムシェアリングされて送られてくる受信信号から干渉除去信号を差し引いて干渉除去後信号を出力する減算ステップと、
を含むことを特徴とする請求項７に記載の移動通信用の無線中継器における干渉除去方法。
【請求項１０】
Ｍ＝Ｎであることを特徴とする請求項７に記載の移動通信用の無線中継器における干渉除去方法。
【請求項１１】
請求項１から６のいずれかに記載の干渉除去装置が適用された移動通信用の無線中継器。
【請求項１２】
請求項７から１０のいずれかに記載の干渉除去方法が適用された移動通信用の無線中継器。
【発明の詳細な説明】
【技術分野】
【０００１】
本発明は、移動通信用の無線中継器における干渉除去方法及び装置に関する。
【背景技術】
【０００２】
一般に、電波陰影地域をカバーしたり、基地局の設置コストが負担となる地域に中継器を設けて当該地域における移動通信のサービス品質を満足しようとしている。
【０００３】
中継器は、一方の側が光ケーブルなどの有線にて基地局と接続された有線中継器と、無線にて基地局と接続された無線中継器とに大別できる。有線中継器は、中継器と基地局との間に有線通信が行われることから良好な通話品質を維持することはできるものの、無線中継器に比べて高価であり、しかも、有線の設置及びこれによる賃借コストがかなり高くつく。これに対し、無線中継器は、中継器と基地局との間に無線通信が行われるために通話品質は有線中継器に比べて劣るものの、設置及び運用コストが安価であるというメリットがある。
【０００４】
上記のような無線中継器は、ビル内部の地下のように、構造物による電磁波遮蔽の影響に起因して中継器が担当する領域が狭い場合に、高価な有線中継器よりもなお一層好適に適用可能である。ところが、ビルの内部ではなく、開放された地域に無線中継器を設ける場合には、無線中継器の送信アンテナを介した送信信号が受信アンテナに帰還して元の受信信号と混合されることにより、信号の干渉や発振現象が発生してサービスを提供できないだけではなく、最悪の場合には基地局障害まで引き起こすことになる。かような問題点により、無線中継器は、上記したビル内部の地下など限られた場所でしか用いられていなかった。
【０００５】
しかしながら、設置及び運用コストが有線中継器に比べて安価であるという無線中継器のメリットは依然として魅力的であって、帰還信号の干渉を除去可能な技術が登場するに至った。なお、このような帰還信号の干渉を除去可能な技術が適用された無線中継器はＩＣＳ（Interference
Cancellation System）中継器と呼ばれる。
【０００６】
従来の干渉除去技術としては、アナログ方法を用いた技術（例えば、下記の特許文献１参照）と、デジタル方法を用いた技術（例えば、下記の特許文献２参照）と、アナログ方法及びデジタル方法を組み合わせた方法と、があるが、本発明は、デジタル方法を用いた干渉除去技術と関連するものである。
【０００７】
以下、図１に基づき、従来のデジタル方法を用いた干渉除去技術の一例を説明する。
【０００８】
重み付けファクター演算部２２から受信アンテナ１１を介して受信された受信信号［Ｒ、Ｒ＝Ｓ（原信号）＋Ｉ（干渉信号）］を減算手段２１の前端において検出し、送信アンテナ１２を介して送信される出力信号^Sを送信アンテナ１２の前端において検出する。また、受信信号Ｒと出力信号^Sとの間の相関関係を用いて干渉位置を導き出し、ＩＣＳアルゴリズムを用いて干渉を除去する重み付けファクターＷを演算する。
【０００９】
続けて、重み付けファクター演算部２２においては、演算された重み付けファクターＷを適応性フィルター２３に適用し、適応性フィルター２３においては、干渉除去信号^Iを生成した後、生成された干渉除去信号^Iを減算手段２１に入力する。
【００１０】
減算手段２１においては、受信アンテナ１１側から入力される受信信号Ｒと、適応性フィルター２３から入力される干渉除去信号^Iと、を混合する。
【００１１】
しかしながら、上記の方法により受信信号から干渉信号をデジタル的に除去する技術によれば、干渉の大きな位置ブロックを検出及び推定する過程が必要であり、干渉除去の反応速度が遅く、それによる種々の問題点が顕在している。
【００１２】
このため、本発明者は、定まった全区間（Ｔ：ｔｉｍｅ）内の干渉をリアルタイムにて除去可能な方法を既に出願している（例えば、下記の特許文献３参照）。
【００１３】
ところが、先行発明によれば、定まった全区間内の干渉をリアルタイムにて除去するようになっているため、適応性フィルターのタップ数（信号を取り出すためのポイント数）が増えてしまい、ハードウェア（重み付けファクター演算部及び適応性フィルターなど）に無理があり、しかも、処理速度が遅くなる。
【００１４】
一般に、Ａ／Ｄ変換に際して、広帯域Δｆの帯域幅（ＢＷ）を処理するためには、サンプリング周波数Ｆｓは少なくとも２×Δｆであることが必要である。すなわち、例えば、広帯域がΔｆ＝２０ＭＨｚ
ＢＷであるとしたとき、少なくとも４０ＭＨｚ以上のサンプリング周波数Ｆｓが必要となる。
【００１５】
ところが、サンプリング周波数Ｆｓが小さければ、今後のＤ／Ａ変換時に信号の復元が精度よく行われないために大きなサンプリング周波数Ｆｓが必要になるのが好ましいが、サンプリング周波数Ｆｓが大きければ、適応性フィルターのタップ数が増えてしまい、上述したように装備の生産性及び動作に無理がある。すなわち、定まった区間Ｔ内の干渉をリアルタイムにて除去するためには多くの適応性フィルターのタップ数が必要であり、これは、実現しようとするハードウェア（Ｈ／Ｗ）資源を増やす原因となり、結果として、生産コストの増大を招く。ここで、適応性フィルターのタップ数はＴ×Ｆｓ［＝Ｔ／１／Ｆｓ）］となる。
【００１６】
また、広帯域処理時に多くの適応性フィルターのタップ数を有するために演算量が増大するため、ランダムなフェーディング干渉の除去のための干渉除去の反応速度である収束速度を落とす原因となる。さらに、演算量が増大するに伴い、受信信号から干渉を除去して送信しようとする出力信号の品質も劣化させる恐れがある。
【特許文献１】大韓民国公開特許２００３−００１７１７１号公報
【特許文献２】大韓民国公開特許２００３−００６０１８６号公報
【特許文献３】大韓民国特許出願第１０−２００６−０１３０５９６号
【発明の開示】
【発明が解決しようとする課題】
【００１７】
本発明は上記事情に鑑みてなされたものであり、その目的は、受信信号の帯域を少なくとも２以上の帯域に分割した後、分割された帯域のサンプリング周波数を下げた状態で干渉を除去可能な技術を提供するところにある。
【課題を解決するための手段】
【００１８】
上記の目的を達成するために、本発明による移動通信用の無線中継器における干渉除去装置は、受信アンテナ側から送られてくるアナログ信号をデジタル信号に変換して出力するＡ／Ｄ変換部と、前記Ａ／Ｄ変換部から送られてくる受信信号帯域をＮ（Ｎ&#8805;２）個の帯域に分割する帯域分割部と、前記帯域分割部により帯域別に分割された各帯域の信号を１／Ｍ（Ｍ＞１）ダウンサンプリングした後に出力するダウンサンプリング部と、前記ダウンサンプリング部から出力されるＮ個の受信信号に対してタイムシェアリング動作を行う第１のタイムシェアリング部と、前記第１のタイムシェアリング部を経由して送られてくるＮ個の受信信号から干渉信号を除去した後、干渉信号の除去された信号を出力する干渉除去部と、前記干渉除去部から出力されるＮ個の出力信号に対して前記第１のタイムシェアリング部と同期してタイムシェアリング動作を行う第２のタイムシェアリング部と、前記第２のタイムシェアリング部を経由して送られてくるＮ個の出力信号に対してＭアップサンプリングを行った後に出力するアップサンプリング部と、前記アップサンプリング部から送られてくるＮ個の出力信号をアナログ信号に変換して送信アンテナ側に出力するＤ／Ａ変換部と、を備えることを特徴とする。
【００１９】
また、前記アップサンプリング部を通過しながらアップサンプリングされたＮ個の出力信号をＮ個の帯域別にそれぞれフィルタリングするフィルタリング部をさらに備える。
【００２０】
より具体的に、前記フィルタリング部は、異なる帯域を通過させるＮ個の帯域通過フィルターを備える。
【００２１】
より具体的に、前記帯域分割部は、異なる帯域を通過させるＮ個の帯域通過フィルターを備え、前記ダウンサンプリング部は、前記Ｎ個の帯域通過フィルターと対応するように設けられるＮ個のダウンサンプリング素子を備える。
【００２２】
さらに、前記干渉除去部は、前記第１のタイムシェアリング部を介して入力される分割帯域別の受信信号から干渉除去信号を差し引いて干渉除去後信号を出力する減算手段と、前記減算手段から出力される干渉除去後信号及び送信アンテナ側に出力される出力信号をリアルタイムにて検出し、干渉除去後信号と出力信号との間の相関関係を用いて重み付けファクターＷをリアルタイムにて演算する重み付けファクター演算手段と、前記重み付けファクター演算手段において演算された重み付けファクターを適用して干渉除去信号をリアルタイムにて生成した後に前記減算手段に与える適応性フィルターと、を備える。
【００２３】
好ましくは、Ｍ＝Ｎである。
【００２４】
また、上記の目的を達成するために、本発明による移動通信用の無線中継器における干渉除去方法は、受信アンテナ側から送られてくるアナログ信号をデジタル信号に変換して出力するＡ／Ｄ変換ステップと、前記Ａ／Ｄ変換ステップにおいてＡ／Ｄ変換されて送られてくる受信信号帯域をＮ（Ｎ&#8805;２）個の帯域に分割する帯域分割ステップと、前記帯域分割ステップにおいて分割されて送られてくる帯域別の受信信号を１／Ｍ（Ｍ＞１）ダウンサンプリングした後に出力するダウンサンプリングステップと、前記ダウンサンプリングステップにおいてダウンサンプリングされたＮ個の受信信号に対してタイムシェアリング動作を行う第１のタイムシェアリングステップと、第１のタイムシェアリングステップにおいてタイムシェアリングされて送られてくるＮ個の受信信号から干渉信号を除去した後、干渉信号の除去された信号を出力する干渉除去ステップと、前記干渉除去ステップにおいて干渉除去されて送られてくるＮ個の出力信号に対して前記第１のタイムシェアリングステップと同期してタイムシェアリング動作を行う第２のタイムシェアリングステップと、前記第２のタイムシェアリングステップにおいてタイムシェアリングされて送られてくるＮ個の出力信号に対してＭアップサンプリングを行うアップサンプリングステップと、前記アップサンプリングステップにおいてアップサンプリングされて送られてくるＮ個の出力信号をアナログ信号に変換して送信アンテナ側に出力するＤ／Ａ変換ステップと、を含むことを特徴とする。
【００２５】
また、前記アップサンプリングステップとＤ／Ａ変換ステップとの間に、アップサンプリングされたＮ個の出力信号をＮ個の帯域別にそれぞれフィルタリングするフィルタリングステップをさらに含む。
【００２６】
より具体的に、前記干渉除去ステップは、干渉除去後信号及び送信アンテナ側に出力される出力信号をリアルタイムにて検出し、干渉除去後信号と出力信号との間の相関関係を用いて重み付けファクターＷを演算する重み付けファクター演算ステップと、演算された重み付けファクターを適用して干渉除去信号をリアルタイムにて生成するステップと、第１のタイムシェアリングステップにおいてタイムシェアリングされて送られてくる受信信号から干渉除去信号を差し引いて干渉除去後信号を出力する減算ステップと、を含む。
【００２７】
好ましくは、Ｍ＝Ｎである。
【００２８】
さらに、本発明は、上記した干渉除去装置及び干渉除去方法が適用された移動通信用の無線中継器を備える。
【発明の効果】
【００２９】
本発明によれば、以下の効果がある。
先ず第一に、サンプリング周波数が下がる結果、干渉除去部の適応性フィルターのタップ数がその分減ってハードウェア資源もその分低減可能になることから、少ないハードウェアをもって実現可能になり、生産コストを削減することができる。
第二に、同じハードウェア容量をもって干渉除去範囲をその分広げることができる。
最後に、干渉除去アルゴリズムを処理するための適応性フィルターのタップ数が減ることから、干渉除去の反応速度が高速になり、干渉除去の応答速度である収束速度が高められる結果、干渉除去後に送信される送信信号の出力品質も改善される。
よって、リアルタイムにて適応型干渉除去に適用することが容易である。
【発明を実施するための最良の形態】
【００３０】
以下、添付図面に基づき、本発明の好適な実施形態による移動通信用の無線中継器における干渉除去装置及び方法を詳述する。
【００３１】
図２は、本発明の実施形態による干渉除去装置２００が適用された移動通信用の無線中継器の主部の斜視図である。
【００３２】
図２に示すように、本発明の実施形態による干渉除去装置２００は、Ａ／Ｄ変換部２１と、帯域分割部２２と、ダウンサンプリング部２３と、第１のタイムシェアリング部２４と、干渉除去部２５と、第２のタイムシェアリング部２６と、アップサンプリング部２７と、フィルタリング部２８及びＤ／Ａ変換部２９などを備えてなる。
【００３３】
Ａ／Ｄ変換部２１は、受信アンテナ１１側から送られてくるアナログ信号をサンプリング周波数Ｆｓでサンプリングしてデジタル信号に変換した後に出力し、通常のＡ／Ｄコンバーターなどから構成される。
【００３４】
帯域分割部２２は、Ａ／Ｄ変換部２１から送られてくる信号帯域ΔｆをＮ（Ｎ&#8805;２）個の周波数帯域ＦＡ＃１、ＦＡ＃２、．．．、ＦＡ＃Ｎ−１、ＦＡ＃Ｎ別に分割（このため、分割された各帯域はΔｆ／Ｎとなる）する。このために、帯域分割部２２は、Ｎ個の帯域通過フィルター２２ａ、２２ｂ、．．．、２２ｎ-1、２２ｎを備える。そして、それぞれの帯域通過フィルター２２ａ、２２ｂ、．．．、２２ｎ-1、２２ｎは、異なる周波数帯域ＦＡ＃１、ＦＡ＃２、．．．、ＦＡ＃Ｎ−１、ＦＡ＃Ｎを通過させることにより、究極的に信号帯域ΔｆをＮ個の周波数帯域ＦＡ＃１、ＦＡ＃２、．．．、ＦＡ＃Ｎ−１、ＦＡ＃Ｎに分割することが可能になる。
【００３５】
ダウンサンプリング部２３は、帯域分割部２２によりＮ個の帯域信号のそれぞれを１／Ｎ倍ダウンサンプリングした後に出力する。このため、各帯域別の受信信号のサンプリング周波数はＦｓ／Ｎとなる。もちろん、ダウンサンプリング時に必ずしも１／Ｎダウンサンプリングする必要はなく、Ｆｓよりも小さなサンプリング周波数（Ｆｓ／Ｍ、Ｍ＞１）にダウンすればよいが、Ｍ＞Ｎであれば、信号の復元力に劣り、Ｍ＜Ｎであれば、適応性フィルターのタップ数が増えてしまうため、Ｍ＝Ｎであることが好ましい。このために、ダウンサンプリング部２３は、Ｎ個の帯域通過フィルター２２ａ、２２ｂ、．．．、２２ｎ-1、２２ｎに対応するように設けられるＮ個のダウンサンプリング素子Ｄａ、Ｄｂ、．．．、Ｄｎ-1、Ｄｎを備えてなる。このようなダウンサンプリング素子Ｄａ、Ｄｂ、．．．、Ｄｎ-1、Ｄｎは、帯域通過フィルター２２ａ、２２ｂ、．．．、２２ｎ-1、２２ｎを通過した各帯域別の受信信号のサンプリング周波数を１／Ｎダウンして出力する。
【００３６】
第１のタイムシェアリング部２４は、帯域分割された各帯域別の受信信号が干渉除去部２４に入力されるときに互いに干渉することを防ぐために、Ｆｓスピードにてタイムシェアリング動作して、分割されたそれぞれの帯域別の受信信号が時間差をおいて干渉除去部２４に入力されるようにする。
【００３７】
続けて、干渉除去部２５は、入力される受信信号Ｓ＋Ｉ（Ｓは原信号であり、Ｉは帰還された干渉信号である）から干渉信号を除去した後に出力するが、このために、干渉除去部２５は、減算手段２５ａと、重み付けファクター演算手段２５ｂと、適応性フィルター２５ｃなどを備えてなる。
【００３８】
減算手段２５ａは、第１のタイムシェアリング部２４においてタイムシェアリングされて入力される各大域別の受信信号Ｓ＋Ｉから干渉除去信号^Iを差し引いて干渉除去後信号Ｅｒｒを出力する。
【００３９】
重み付けファクター演算手段２５ｂは、減算手段２５ａから出力される干渉除去後信号Ｅｒｒ及び送信アンテナ１２側に出力される出力信号^Sをリアルタイムにて検出し、ＩＣＳアルゴリズムを用いて干渉除去後信号Ｅｒｒと出力信号^S（正確に言えば、ここでの出力信号は、送信経路上において発生したディレイが符号２５ｄのディレイ補正手段により補正されたＲｅｆ−干渉除去用の基準信号−である）との間の相関関係を用いて重み付けファクターＷを演算する。
【００４０】
適応性フィルター２４ｃは、重み付けファクター演算手段２４ｂにおいて演算された重み付けファクターＷを適用して干渉除去信号^Iを生成した後、生成された干渉除去信号^Iを減算手段２４ａに与える。
【００４１】
すなわち、重み付けファクター演算手段２５ｂにおいて演算された重み付けファクターＷにより適応性フィルター２５ｃにおいて干渉除去信号^Iを生成し、生成された干渉除去信号^Iを減算手段２５ａに与えて第１のタイムシェアリング部２４を介して入力される受信信号Ｓ＋Ｉから干渉信号を除去するが、このように干渉信号の除去された干渉除去後信号Ｅｒｒは、さらに重み付けファクター演算手段２５ｂによりリアルタイムにて検出されて、重み付けファクターＷを演算するのに用いられるのである。
【００４２】
参考までに、符号２５ｄのディレイ補正手段は、重み付けファクター演算部２５ｂにおいて検出される出力信号^Sに対して検出個所後端の自体回路において発生するディレイを補正して帰還される干渉信号Ｉとディレイを同じくするためのディレイ素子であり、符号２５ｅのディレイ補正手段は、符号２５ｅのディレイ補正手段の両端において検出される干渉除去後信号Ｅｒｒと出力信号^Sとの相関性を高めるための相関性素子として働く。
【００４３】
第２のタイムシェアリング部２６は、同様に、Ｆｓスピードにて第１のタイムシェアリング部２４と同期してタイムシェアリング動作を行うことにより、干渉除去部２４から出力される出力信号^Sをアップサンプリング部２６に出力する。
【００４４】
アップサンプリング部２７は、Ｎ個のアップサンプリング素子Ｕａ、Ｕｂ、．．．、Ｕｎ-1、Ｕｎからなるが、第２のタイムシェアリング部２６の動作により干渉除去部２４から時間差をおいて出力される帯域別のＮ個の出力信号がそれぞれのアップサンプリング素子Ｕａ、Ｕｂ、．．．、Ｕｎ-1、Ｕｎに分けられて入力され、アップサンプリング素子Ｕａ、Ｕｂ、．．．、Ｕｎ-1、Ｕｎは、入力される出力信号^SをＮアップサンプリングすることにより、出力信号にＮアップサンプリング周波数を持たせ、究極的に最初のＦｓサンプリング周波数を持たせる。
【００４５】
フィルタリング部２８は、それぞれのアップサンプリング素子Ｕａ、Ｕｂ、．．．、Ｕｎ-1、Ｕｎに対応するように設けられるＮ個の帯域通過フィルター２８ａ、２８ｂ、．．．、２８ｎ-1、２８ｎからなり、干渉除去部２５を通過した後にアップサンプリング素子Ｕａ、Ｕｂ、．．．、Ｕｎ-1、Ｕｎを通過した出力信号帯域を校正する。すなわち、受信信号の帯域が干渉除去部２４を経ながら他の帯域の信号と混合されることがあるが、帯域通過フィルター２８ａ、２８ｂ、．．．、２８ｎ-1、２８ｎにおいて他の帯域の信号をろ過するのである。ここで、符号２８ａの帯域通過フィルターは、符号２２ａの帯域通過フィルターに対応する帯域を通過させるように構成され、同様に、残りの符号２８ｂ、．．．、２８ｎ-1、２８ｎの帯域通過フィルターも、符号２２ｂ、．．．、２２ｎ-1、２２ｎと同じ帯域を通過させるように構成される。
【００４６】
さらに、Ｄ／Ａ変換部２８は、フィルタリング部２７を通過しながら順次に送られてくるデジタル信号を帯域合成してアナログ信号に変換した後、送信アンテナ１２側に出力する。
【００４７】
以下、便宜上順番を付けて、図３のフローチャートに基づいて以上のような構成を有する干渉除去装置２００において行われる干渉除去方法について説明する。
【００４８】
１．アナログ−デジタル変換＜Ｓ３０１＞
受信アンテナ１１側からアナログ信号がＡ／Ｄ変換部２１に入力されると、Ａ／Ｄ変換部２１においては、アナログ信号を特定のサンプリング周波数Ｆｓでサンプリングしてデジタル信号に変換する。
【００４９】
２．帯域分割＜Ｓ３０２＞
ステップＳ３０１においてデジタル信号に変換された受信信号は、異なる帯域を通過させるＮ個の帯域通過フィルター２２ａ、２２ｂ、．．．、２２ｎ-1、２２ｎによりＮ個の帯域に分割される。このような動作によりΔｆの周波数帯域を１／Ｎに分割すれば、それぞれを処理する周波数帯域がΔｆ／Ｎに減る。
【００５０】
３．ダウンサンプリング＜Ｓ３０３＞
ダウンサンプリング部２３においては、Ｎ個の帯域に分割されて送られてくるΔｆ／Ｎ帯域の受信信号に対してそれぞれ１／Ｎダウンサンプリングを行う。周波数帯域が１／Ｎ倍に減っていることから、サンプリング周波数も低減可能になり、このとき、サンプリング周波数はＦｓ／Ｎとなる。もちろん、サンプリング周波数を必ずしも１／Ｎに低減する必要はなく、１よりも大きな任意の整数倍に低減すればよい。
【００５１】
４．第１のタイムシェアリング＜Ｓ３０４＞
第１のタイムシェアリング部２４においては、帯域別にＮ個に分割された受信信号が干渉除去部２５に入力されるに先立って、各受信信号間の干渉を防ぐために各ダウンサンプリング素子Ｄａ、Ｄｂ、．．．、Ｄｎ-1、Ｄｎから出力される受信信号に対してタイムシェアリングを行い、各受信信号が時間差をおいて干渉制御部２５に入力されるようにする。
【００５２】
５．干渉除去＜Ｓ３０５＞
干渉除去部２５は、第１のタイムシェアリング部２４により順次に送られてくる帯域別のＮ個の受信信号から干渉信号を除去する。このような干渉除去ステップは、下記のように細分化される。
【００５３】
５−１．信号検出＜Ｓ３０５ａ＞
減算手段２５ａから干渉が除去された後に出力される干渉除去後信号Ｅｒｒと、干渉除去部２５から出力される出力信号^Sを検出する。
【００５４】
５−２．重み付けファクターの演算＜Ｓ３０５ｂ＞
重み付けファクター演算手段２５ｂは、検出された干渉除去後信号Ｅｒｒと出力信号^Sとの間の相関関係を用いて重み付けファクターＷを演算した後、これを適応性フィルター２５ｃに適用する。ここで、広帯域信号の定まった区間Ｔ内の干渉処理アルゴリズムの適応性フィルターのタップ数は、Ｔ／［１／（Ｆｓ／Ｎ）］＝Ｔ&#8228;Ｆｓ／Ｎに減る。
【００５５】
５−３．干渉除去信号の生成＜Ｓ３０５ｃ＞
適応性フィルター２５ｃは、出力信号^Sに重み付けファクターＷを適用して干渉除去信号^Iを生成した後、生成された干渉除去信号^Iを減算手段２５ａに入力する。
【００５６】
５−４．干渉除去＜Ｓ３０５ｄ＞
減算手段２５ａは、第１のタイムシェアリング部２３を経由して送られてくる受信信号Ｓ＋Ｉから適応性フィルター２５ｃから入力される干渉除去信号^Iを差し引いて干渉除去後信号Ｅｒｒを生成して出力する。また、このようにして生成されて出力される干渉除去後信号Ｅｒｒは、重み付けファクター演算手段２５ｂによりリアルタイムにて検出されて重み付けファクターＷを演算するのに用いられる。
【００５７】
６．第２のタイムシェアリング＜Ｓ３０６＞
第２のタイムシェアリング部２６は、干渉除去部２５から順次に出力される干渉の除去されたＮ個の出力信号をタイムシェアリングしてアップサンプリング部２７の各アップサンプリング素子Ｕａ、Ｕｂ、．．．、Ｕｎ-1、Ｕｎに分配する。
【００５８】
７．アップサンプリング＜Ｓ３０７＞
アップサンプリング部２７のアップサンプリング素子Ｕａ、Ｕｂ、．．．、Ｕｎ-1、Ｕｎは、第２のタイムシェアリング部２６を経由して送られてくる出力信号をそれぞれＮ倍アップサンプリングして、全ての出力信号に初期のＦｓサンプリング周波数と同じＦｓサンプリング周波数を持たせる。
【００５９】
８．フィルタリング＜Ｓ３０８＞
フィルタリング部＜Ｓ３０８＞の広帯域フィルター２７ａ、２７ｂ、．．．、２７ｎ-1、２７ｎは、アップサンプリング素子Ｕａ、Ｕｂ、．．．、Ｕｎ-1、Ｕｎから出力される出力信号をそれぞれフィルタリングして出力する。
【００６０】
９．デジタル−アナログ変換＜Ｓ３０９＞
Ｄ／Ａ変換部２９は、フィルタリング部２８から送られてくる各帯域別のＮ個の出力信号をΔｆ帯域の信号に帯域合成してアナログ信号に変換した後、送信アンテナ１２側に出力する。
【００６１】
以上、本発明を本発明の原理を例示するための好ましい実施の形態と結び付けて図示及び説明したが、本発明はこのような図示及び説明通りの構成及び作用に限定されるものではない。むしろ、特許請求の思想及び範ちゅうを逸脱しない範囲内であれば、本発明に対する多数の変更及び修正が可能であるということは、当業者にとって明らかである。よって、これらの全ての適切な変更及び修正と均等物も本発明の範囲に属すると見なされるべきである。
【図面の簡単な説明】
【００６２】
【図１】従来の技術による無線中継器のブロック図である。
【図２】本発明の実施形態による干渉除去装置が適用された無線中継器の主部のブロック図である。
【図３】図２の干渉除去装置において行われる干渉除去方法のフローチャートである。
【符号の説明】
【００６３】
２００: 干渉除去装置
２１: Ａ／Ｄ変換部
２２: 帯域分割部
２３: ダウンサンプリング部
２４: 第１のタイムシェアリング部
２５: 干渉除去部
２５ａ：減算手段、
２５ｂ：重み付けファクター演算手段
２５ｃ：適応性フィルター
２６: 第２のタイムシェアリング部
２７: アップサンプリング部
２８: フィルタリング部
２９: Ｄ／Ａ変換部
【図１】
2009188457.tif 000003
【図２】
2009188457.tif 000004
【図３】
2009188457.tif 000005